(57)【要約】オンラインＨＰＬＣ溶出試験システムは、溶出試験機と、液体クロマトグラフと、を備えている。前記液体クロマトグラフのオートサンプラは、前記溶出試験機と配管を介して接続され、前記溶出試験機から供給される試料液を内部に収容するフローバイアル、前記フローバイアルから試料液を吸引して採取するためのサンプリングニードル、及び前記サンプリングニードルから前記分析流路へ試料液を注入するための注入ポートを有する。前記液体クロマトグラフの制御部は、前記溶出試験機から前記フローバイアルに試料液が供給されたときに、前記サンプリングニードルによって前記フローバイアル内の試料液を吸引して直接的に前記注入ポートへ注入する即時分析動作を前記オートサンプラに実行させるように構成された即時分析動作実行部を有する。
2019038928.tif 000002
【特許請求の範囲】
【請求項１】
移動相の流れる分析流路と、
溶出試験機から供給される試料液を前記分析流路中に注入するオートサンプラと、
前記オートサンプラにより前記分析流路中に注入された試料液中の成分を分離するための分析カラムと、
前記分析カラムで分離された試料成分を検出するための検出器と、
少なくとも前記オートサンプラの動作を制御する制御部と、を備え、
前記オートサンプラは、前記溶出試験機と配管を介して接続され、前記溶出試験機から供給される試料液を内部に収容するフローバイアル、前記フローバイアルから試料液を吸引して採取するためのサンプリングニードル、及び前記サンプリングニードルから前記分析流路へ試料液を注入するための注入ポートを有し、
前記制御部は、前記溶出試験機から前記フローバイアルに試料液が供給されたときに、前記サンプリングニードルによって前記フローバイアル内の試料液を吸引して直接的に前記注入ポートへ注入する即時分析動作を前記オートサンプラに実行させるように構成された即時分析動作実行部を有する、液体クロマトグラフ。
【請求項２】
前記オートサンプラは、前記サンプリングニードルにより前記フローバイアルから採取された試料液を分画して捕集するための捕集容器をさらに有し、
前記制御部は、前記溶出試験機から前記フローバイアルに試料液が供給されたときに、前記サンプリングニードルによって前記フローバイアル内の試料液を吸引し、前記サンプリングニードルから前記捕集容器へ試料液を吐出する捕集動作を前記オートサンプラに実行させるように構成された捕集動作実行部、及び前記捕集容器に捕集された試料液を前記サンプリングニードルによって吸引して前記注入ポートへ注入する捕集試料分析動作を前記オートサンプラに実行させるように構成された捕集試料分析動作実行部をさらに有する、請求項１に記載の液体クロマトグラフ。
【請求項３】
オペレータからの入力指示に基づいて即時分析モード、又は捕集分析モードのいずれか一方のモードを選択するように構成されたモード選択部をさらに備え、
前記即時分析動作実行部は、前記モード選択部により前記即時分析モードが選択されたときに前記即時分析動作を前記オートサンプラに実行させるように構成されており、
前記捕集動作実行部及び前記捕集試料分析動作実行部は、前記モード選択部により前記捕集分析モードが選択されたときに、それぞれ前記捕集動作と前記捕集試料分析動作を前記オートサンプラに実行させるように構成されている、請求項２に記載の液体クロマトグラフ。
【請求項４】
溶出試験機と、
前記溶出試験機と配管を介して接続された請求項１から３のいずれかに記載の液体クロマトグラフと、を備えた、溶出試験システム。
【請求項５】
前記液体クロマトグラフは、当該液体クロマトグラフが分析動作中であるか否かを判定し、当該液体クロマトグラフが分析動作中か否かに関する分析状態信号を前記溶出試験機へ送信するように構成された分析状態通信部をさらに有し、
前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、請求項４に記載の溶出試験システム。
【請求項６】
試料の溶出試験を行なうための溶出試験機と、
移動相の流れる分析流路、前記溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、少なくとも前記オートサンプラの動作を制御する制御部、及び当該液体クロマトグラフが分析動作中であるか否かを判定し、当該液体クロマトグラフが分析動作中か否かに関する分析状態信号を前記溶出試験機へ送信するように構成された分析状態通信部を有する液体クロマトグラフと、を備え、
前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、溶出試験システム。
【請求項７】
請求項６に記載の溶出試験システムに用いられる前記液体クロマトグラフであって、
移動相の流れる分析流路、前記溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、少なくとも前記オートサンプラの動作を制御する制御部、及び当該液体クロマトグラフが分析動作中であるか否かを判定し、当該液体クロマトグラフが分析動作中か否かに関する分析状態信号を前記溶出試験機へ送信するように構成された分析状態通信部を備え、前記溶出試験機が前記新たな試料についての溶出試験を開始する際に、前記新な試料についての分析動作を行う、液体クロマトグラフ。
【請求項８】
請求項６に記載の溶出試験システムに用いられる前記溶出試験機であって、
前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、溶出試験機。
【発明の詳細な説明】
【技術分野】
【０００１】
本発明は、溶出試験機の試験液をオンラインで分析するための液体クロマトグラフ及びその液体クロマトグラフを備えた溶出試験システム（以下、オンラインＨＰＬＣ溶出試験システムと称する。）に関するものである。
【背景技術】
【０００２】
フラクション機能やＵＶスペクトロメータによるオンライン測定機能を具備する自動溶出試験機は、今後も高い市場規模の成長が見込まれるものである。溶出試験機は一般的にＵＶスペクトロメータと接続されており、溶出試験機からの試料液中の特定成分の濃度を予め設定されたタイミングごとにＵＶスペクトロメータによって測定することで、内服固形製剤などの試料の液体への溶出速度が測定される。【０００３】
一方で、内服固形製剤の溶出試験において、複数の成分が存在するものや賦形剤の影響でＵＶスペクトロメータでは正確な溶出試験が困難な場合に液体クロマトグラフが用いられることもある（特許文献１参照。）。その場合、溶出試験機の試料液をオンラインで液体クロマトグラフに導入できるように、液体クロマトグラフのオートサンプラにフローバイアルが設置されることがある。このような溶出試験システムをオンライン高速液体クロマトグラフ溶出試験システムと称する。
【先行技術文献】
【特許文献】
【０００４】
【特許文献１】特開２００６−１１８９８５号公報
【発明の概要】
【発明が解決しようとする課題】
【０００５】
従来の液体クロマトグラフは一分析に長時間を要していたため、溶出試験機からの試料液のサンプリング速度に対して液体クロマトグラフの分析速度が追い付かないという事情があった。そのため、従来のオンラインＨＰＬＣ溶出試験システムでは、溶出試験機から供給される試料液を空の捕集容器に一時的に捕集しておき、液体クロマトグラフが分析可能な状態となったタイミングでその捕集容器から試料液を採取し、分析流路中へ注入して分析を開始するように構成されていた。このため、溶出試験の効率が悪いという問題があった。【０００６】
また、近年、液体クロマトグラフは分析の高速化が進んでおり、一分析に要する時間が従来に比べて急速に短くなっている。さらに、複数種類の内服固形製剤の連続溶出試験が可能な全自動溶出試験機が開発されている。このような背景から、分析が高速化された液体クロマトグラフに全自動溶出試験機を上手く組み合わせれば、より高効率に溶出試験を行なうことが可能であると考えられる。【０００７】
そこで、本発明は、液体クロマトグラフを用いて従来よりも高効率に溶出試験を行なうことができるようにすることを目的とするものである。
【課題を解決するための手段】
【０００８】
本発明に係る液体クロマトグラフは、移動相の流れる分析流路、溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、及び少なくとも前記オートサンプラの動作を制御する制御部を有する。【０００９】
そして、前記オートサンプラが、前記溶出試験機と配管を介して接続され、前記溶出試験機から供給される試料液を内部に収容するフローバイアル、前記フローバイアルから試料液を吸引して採取するためのサンプリングニードル、及び前記サンプリングニードルから前記分析流路へ試料液を注入するための注入ポートを有する。さらに、前記制御部は、前記溶出試験機から前記フローバイアルに試料液が供給されたときに、前記サンプリングニードルによって前記フローバイアル内の試料液を吸引して直接的に前記注入ポートへ注入する即時分析動作を前記オートサンプラに実行させるように構成された即時分析動作実行部を有する。【００１０】
すなわち、本発明に係る液体クロマトグラフは、溶出試験機から供給される試料液を捕集容器に一時的に捕集しておき、液体クロマトグラフによる分析が可能なタイミングでその捕集容器から試料を吸引して分析流路へ注入するという従来の分析方式に加えて又は代えて、溶出試験機から供給される試料液をサンプリングニードルによって吸入し、捕集容器を介することなく注入ポートへ直接的に注入する即時分析方式を採用している。これは、液体クロマトグラフの分析速度の高速化によって実現されるものであり、溶出試験機のサンプリング速度よりも速い速度で液体クロマトグラフの分析がなされることを前提としている。捕集容器を介することなく溶出試験機から供給される試料液を注入ポートへ直接的に注入するので、サンプリングニードルが捕集容器へ試料液を吐出する動作や再びその捕集容器から試料液を吸引して注入ポートへ注入する動作が省略され、溶出試験を高効率に行なうことが可能となる。そして、溶出試験機からサンプリングされた試料液を即座に液体クロマトグラフで分析することができるので、溶出試験の結果を迅速に取得することが可能になる。【００１１】
本発明の液体クロマトグラフにおいて、溶出試験機から供給される試料液を捕集容器に一時的に捕集しておき、液体クロマトグラフによる分析が可能なタイミングでその捕集容器から試料を吸引して分析流路へ注入するという従来方式の溶出試験も実施可能であることが好ましい。試料液を一時的に捕集容器に捕集する従来方式の溶出試験には、捕集容器に試料液を保存しておくことができるという利点がある。この方式は、試料の溶出速度の経時変化を細かく（液体クロマトグラフの分析時間よりも短い周期で）観察したい場合や、分析時間の長い化合物、希釈が必要な化合物が試料である場合に有効な方式である。したがって、この従来方式の溶出試験も実施可能であれば、試料に応じた適切な条件で溶出試験を実施することができるようになる。【００１２】
上記形態の具体的な構成は、前記オートサンプラが、前記サンプリングニードルにより前記フローバイアルから採取された試料液を分画して捕集するための捕集容器を有し、前記制御部が、前記溶出試験機から前記フローバイアルに試料液が供給されたときに、前記サンプリングニードルによって前記フローバイアル内の試料液を吸引し、前記サンプリングニードルから前記捕集容器へ試料液を吐出する捕集動作を前記オートサンプラに実行させるように構成された捕集動作実行部、及び前記捕集容器に捕集された試料液を前記サンプリングニードルによって吸引して前記注入ポートへ注入する捕集試料分析動作を前記オートサンプラに実行させるように構成された捕集試料分析動作実行部をさらに有する。【００１３】
さらに、本発明の液体クロマトグラフは、オペレータからの入力指示に基づいて即時分析モード、又は捕集分析モードのいずれか一方のモードを選択するように構成されたモード選択部をさらに備えていることが好ましい。その場合、前記即時分析動作実行部は、前記モード選択部により前記即時分析モードが選択されたときに前記即時分析動作を前記オートサンプラに実行させるように構成され、前記捕集動作実行部及び前記捕集試料分析動作実行部は、前記モード選択部により前記捕集分析モードが選択されたときに、それぞれ前記捕集動作と前記捕集試料分析動作を前記オートサンプラに実行させるように構成されている。これにより、オペレータが即時分析モードと捕集分析モードを自由に選択することができ、溶出試験の条件設定の自由度が広がる。【００１４】
本発明に係る溶出試験システムは、溶出試験機と、前記溶出試験機と配管を介して接続された上述の液体クロマトグラフと、を備えたものである。【００１５】
また、既述のように、複数種類の内服固形製剤の溶出試験を自動で連続的に行なうことができる全自動溶出試験機が開発されているが、そのような全自動溶出試験機にはＵＶスペクトロメータが一般に組み合わされるものであり、液体クロマトグラフと組み合わせて全自動の連続的な溶出試験を実施することができるようにはなっていなかった。そのため、複数成分が存在するような固形製剤の固形製剤が複数存在する場合には、オペレータが液体クロマトグラフでの分析状態を監視し、液体クロマトグラフが分析可能な状態となったときに次の新たな試料の溶出試験を開始する必要があった。【００１６】
そこで、本発明に係る溶出試験システムでは、全自動溶出試験機と液体クロマトグラフとを連動させて、複数成分が存在するような固形製剤の固形製剤が複数存在する場合にも、それらの固形製剤の溶出試験を全自動で連続的に実行することができるように構成されていることが好ましい。【００１７】
すなわち、本発明に係る溶出試験システムにおいて、前記液体クロマトグラフが、当該液体クロマトグラフが分析動作中であるか否かを判定し、当該液体クロマトグラフが分析動作中か否かに関する分析状態信号を前記溶出試験機へ送信するように構成された分析状態通信部を有し、前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されていることが好ましい。そうすれば、液体クロマトグラフが分析可能な状態となったときに溶出試験機が次の試料についての溶出試験を自動的に開始するので、オペレータが液体クロマトグラフの分析状態を監視する必要がなくなり、複数試料の溶出試験を全自動で連続的に実行することができる。【００１８】
また、上記の溶出試験システムに用いられる前記液体クロマトグラフは、移動相の流れる分析流路、前記溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、少なくとも前記オートサンプラの動作を制御する制御部、及び当該液体クロマトグラフが分析動作中であるか否かを判定し、当該液体クロマトグラフが分析動作中か否かに関する分析状態信号を前記溶出試験機へ送信するように構成された分析状態通信部を備え、前記溶出試験機が前記新たな試料についての溶出試験を開始する際に、前記新な試料についての分析動作を行うものであることが好ましい。【００１９】
また、上記に溶出試験システムに用いられる前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されていることが好ましい。
【発明の効果】
【００２０】
本発明に係る液体クロマトグラフ及び溶出試験システムでは、溶出試験機から供給される試料液を注入ポートへ直接的に注入するので、溶出試験を高効率に行なうことが可能となる。そして、溶出試験機からサンプリングされた試料液を即座に液体クロマトグラフで分析することができるので、溶出試験の結果を迅速に取得することが可能になる。
【図面の簡単な説明】
【００２１】
【図１】オンラインＨＰＬＣ溶出試験システムの一実施例を示す概略構成図である。
【図２】同実施例のオートサンプラ内の構成の一例を示す概略部分断面構成図である。
【図３】同実施例の即時分析動作の一例を説明するためのフローチャートである。
【図４】同実施例の捕集動作の一例を説明するためのフローチャートである。
【図５】同実施例の捕集試料分析動作の一例を説明するためのフローチャートである。
【図６】同実施例による全自動連続溶出試験の動作の一例を説明するためのフローチャートである。
【発明を実施するための形態】
【００２２】
以下に、本発明に係る液体クロマトグラフ、溶出試験機及び溶出試験システムの一実施形態について、図面を用いて説明する。
【００２３】
この実施例のオンラインＨＰＬＣ溶出試験システムは、溶出試験機２、液体クロマトグラフ４、及び演算処理装置６を備えている。図示は省略されているが、溶出試験機２は薬剤等の試料を液体とともに収容する少なくとも１つの試験容器を有し、その試験容器内の液を試料液として予め設定された時間ごとに入口配管１６を介して液体クロマトグラフ４のオートサンプラ１０へ供給するように構成されている。演算処理装置６は、溶出試験機２の制御部２０と通信用インターフェース２４（通信部）を介して、液体クロマトグラフ４の制御部２２と通信用インターフェース２６を介して、それぞれ電気的に接続されている。
【００２４】
演算処理装置６は、例えば、専用のコンピュータ又は汎用のパーソナルコンピュータによって実現されるものである。オペレータは演算処理装置６を介してこのオンラインＨＰＬＣ溶出試験システム全体を一元的に管理することができる。溶出試験機２の制御部２０は溶出試験機内に設けられている各要素の動作制御を行なうために設けられたマイクロコンピュータ等によって実現される。液体クロマトグラフ４の制御部２２は、例えば、液体クロマトグラフ４の各モジュール８、１０、１２及び１４の動作管理を行なうシステムコントローラによって実現されるものである。
【００２５】
液体クロマトグラフ４は、送液装置８、オートサンプラ１０、カラムオーブン１２、検出器１４及び制御部２２を備えている。
【００２６】
送液装置８は送液ポンプを用いて移動相を送液する装置である。送液装置８の出口は配管を介してオートサンプラ１０に接続されている。
【００２７】
オートサンプラ１０は、溶出試験機２から供給される試料液を送液装置８からの移動相が流れる分析流路へ注入するように構成されているものである。オートサンプラ１０の構成については後述する。
【００２８】
カラムオーブン１２内には試料を成分ごとに分離するための分析カラム（図示は省略。）が収容されている。カラムオーブン１２内の分析カラムは、配管を介してオートサンプラ１０の出口に接続されており、オートサンプラ１０により注入された試料が送液装置８からの移動相とともに分析カラムへ導入されるように構成されている。カラムオーブン１２内の分析カラムの下流端は配管を介して検出器１４に接続されている。
【００２９】
検出器１４は、分析カラムで分離された試料成分を検出するためのものであり、例えば紫外線吸光度検出器である。検出器１４で得られた検出器信号は演算処理装置６に取り込まれ、試料成分濃度の定量等に用いられる。
【００３０】
ここで、オートサンプラ１０の概略的な構成について図２を用いて説明する。
【００３１】
オートサンプラ１０内には、サンプリングニードル３８、注入ポート４０、捕集容器４２、及びフローバイアル４４が設けられている。図では便宜上、捕集容器４２とフローバイアル４４が１つしか示されていないが、実際には複数の捕集容器４２とフローバイアル４４が設けられている。捕集容器４２とフローバイアル４４の個数に制限はない。フローバイアル４４はフローバイアルラック４６に保持されている。
【００３２】
注入ポート４０はサンプリングニードル３８が試料液を移動相の流れる分析流路へ注入するためのものである。注入ポート４０は、サンプリングニードル３８の先端を挿入させてサンプリングニードル３８を液密に接続するように構成されている。
【００３３】
捕集容器４２は、サンプリングニードル３８がフローバイアル４４から採取した試料液を分画して捕集するための容器である。
【００３４】
フローバイアル４４は、フローバイアル本体４８とフローバイアル本体４８の上部に装着されたキャップ５０からなる。フローバイアル本体４８の内部に、試料液を収容するための空間４８ａ、その空間４８ａの底部に通じる流路である入口部５４、及び空間４８ａの上部に通じる流路である出口部５６が設けられている。入口部５４には入口配管１６が接続され、出口部５６には出口配管１８が接続されている。フローバイアル本体４８の上方は開口しており、その開口が弾性材料からなるセプタム５２によって封止され、そのセプタム５２を押さえ込むようにキャップ５０がフローバイアル本体４８の上部に装着されている。キャップ５０の上面にはセプタム５２へ通じる開口が設けられている。キャップ５２の開口は、上方から下降してきたサンプリングニードル３８をフローバイアル本体４８内の空間４８ａへ導くためのものである。キャップ５０の開口を通って下降したサンプリングニードル３８は、セプタム５２を貫通し、先端をフローバイアル本体４８内の空間４８ａに進入させて試料液を吸引する。
【００３５】
サンプリングニードル３８は、注入ポート４０、捕集容器４２及びフローバイアルラック４６の上方に設けられている。サンプリングニードル３８は、図示されていない移動機構によって、先端を鉛直下方に向けた状態で水平面内方向と鉛直方向へ移動させられる。
【００３６】
液体クロマトグラフ４の動作モードには、即時分析モードと捕集分析モードの２種類のモードが存在する。即時分析モードでは、オートサンプラ１０のサンプリングニードル３８がフローバイアル４４から試料を吸引して注入ポート４０へ直接的に注入する即時分析動作を行なう。一方で、捕集分析モードでは、サンプリングニードル３８がフローバイアル４４から試料液を吸引して捕集容器４２へ試料液を捕集する捕集動作と、捕集容器４２から試料液を吸引して注入ポート４０へ注入する捕集試料分析動作と、を行なう。
【００３７】
注入ポート４０を介して注入された試料液はその後、送液装置８からの移動相によってカラムオーブン１２内の分析カラムを経て検出器１４に導入される。なお、図２では示されていないが、オートサンプラ１０には、試料水中の特定成分濃度の定量のための標準試料が収容された標準試料容器も設けられ、サンプリングニードル３８はその標準試料容器から標準試料を吸引して注入ポート４０へ注入することができるようになっている。
【００３８】
図１に戻って、オンラインＨＰＬＣ溶出試験システムの一実施形態の説明を続ける。液体クロマトグラフ４の制御部２２は、モード選択部２８、即時分析動作実行部３０、捕集動作実行部３２、捕集試料分析動作実行部３４、及び分析状態通信部３６を備えている。これらの各部２８、３０、３２、３４及び３６は、制御部２２に設けられたマイクロコンピュータ等の演算素子が所定のプログラムを実行することによって得られる機能である。
【００３９】
モード選択部２８は、オペレータからの入力指示に基づいて、液体クロマトグラフ４の動作モードとして即時分析モードと捕集分析モードのいずれか一方のモードを選択するように構成されている。すなわち、オペレータは、即時分析モードと捕集分析モードのいずれか一方のモードをある試料についての溶出試験における液体クロマトグラフ４の動作モードとして指定することができる。
【００４０】
上述のように、即時分析モードは、溶出試験機２からオートサンプラ１０のフローバイアル４４に試料液が供給されたときに、その試料液をサンプリングニードル３８によって吸引し、注入ポート４０へ直接的に注入する即時分析動作をオートサンプラに実行させるモードである。すなわち、即時分析モードは、溶出試験機２からオートサンプラ１０のフローバイアル４４に試料液が供給されたときに即時に液体クロマトグラフによる分析を開始するモードである。一方で、捕集分析モードは、溶出試験機２からオートサンプラ１０のフローバイアル４４に試料液が供給されたときに、その試料液をサンプリングニードル３８によって吸引し、その試料液を空の捕集容器４２に捕集する捕集動作と、所定のタイミングで捕集容器４２から試料液を採取して注入ポート４０へ注入する捕集試料分析動作をオートサンプラに実行させるモードである。
【００４１】
液体クロマトグラフ４の動作モードは、一試料ごとに設定することができる。すなわち、溶出試験を行なうべき試料が複数存在する場合には、各試料についての溶出試験における液体クロマトグラフ４の動作モードを設定することができる。
【００４２】
即時分析動作実行部３０は、モード選択部２８によって即時分析モードが選択されたときに、オートサンプラ１０に上述の測定分析動作を実行させるように構成されている。
【００４３】
捕集動作実行部３２及び捕集試料分析動作実行部３４は、モード選択部２８によって捕集分析モードが選択されたときに、オートサンプラ１０にそれぞれ上述の捕集動作と捕集試料分析動作を実行させるように構成されている。
【００４４】
分析状態通信部３６は、液体クロマトグラフ４が分析中であるか否かを判定し、その判定結果に関する分析状態信号を、溶出試験機２へ直接的に又は演算処理装置６を介して間接的に送信するように構成されている。液体クロマトグラフ４が分析中であるか否かは、予め設定された分析時間が経過したか否か、検出器１４の検出信号によって得られるクロマトグラムの最後のピークが出現したか否か等によって判定することができる。
【００４５】
次に、即時分析モード時の液体クロマトグラフ４の即時分析動作について、図１、図２とともに図３のフローチャートを用いて説明する。
【００４６】
まず、試料の溶出試験を開始する前に特定成分濃度が既知である標準試料の分析を行ない、その測定データを記録する（ステップＳ１）。標準試料の分析が終了した後、溶出試験機２での試料の溶出試験を開始する。溶出試験機２からは、予め設定されたタイミング（例えば、一定時間ごと）で試料液がオートサンプラ１０のフローバイアル４４に供給される（ステップＳ２）。フローバイアル４４に試料液が供給される際に、溶出試験機２の制御部２０から液体クロマトグラフ４の制御部２２に対して試料液を供給する旨の信号が送信される。
【００４７】
溶出試験機２からフローバイアル４４に試料液が供給されると、即時分析動作実行部３０は、サンプリングニードル３８によってフローバイアル４４の試料液を吸引し、その試料液を直接的に注入ポート４０へ注入する動作を、オートサンプラ１０に実行させる（ステップＳ３及びＳ４）。注入ポート４０へ注入された試料は、送液装置８からの移動相が流れる分析流路中へ導入され、液体クロマトグラフによる分析が行われる（ステップＳ５）。以上のステップＳ１〜Ｓ５の動作は、オペレータにより予め設定された回数だけ繰返し実行される（ステップＳ６）。
【００４８】
次に、捕集分析モード時の液体クロマトグラフ４の捕集動作について、図１、図２とともに図４のフローチャートを用いて説明する。
【００４９】
溶出試験機２での試料の溶出試験を開始する。溶出試験機２からは、予め設定されたタイミングで試料液がオートサンプラ１０のフローバイアル４４に供給される（ステップＳ１１）。
【００５０】
溶出試験機２からフローバイアル４４に試料液が供給されると、捕集動作実行部３２は、サンプリングニードル３８によってフローバイアル４４の試料液を吸引し、その試料液を空の捕集容器４２へ吐出して捕集する動作をオートサンプラ１０に実行させる（ステップＳ１２及びＳ１３）。以上のステップＳ１１〜Ｓ１３の動作は、オペレータにより予め設定された回数だけ繰返し実行される（ステップＳ１４）。
【００５１】
次に、捕集分析モード時の液体クロマトグラフ４の捕集試料分析動作について、図１、図２とともに図５のフローチャートを用いて説明する。
【００５２】
この捕集試料分析動作は、少なくとも１つの捕集容器に未分析の試料液が捕集された後であれば、任意のタイミングで実行することができる。オペレータは、捕集試料分析動作を事項するタイミングを任意に設定することができる。
【００５３】
即時分析モードと同様に、試料の溶出試験を開始する前に特定成分濃度が既知である標準試料の分析を行ない、その測定データを記録する（ステップＳ２１）。その後、捕集容器４２に未分析の試料液が捕集されているときに（ステップＳ２２）、捕集試料分析動作実行部３４は、液体クロマトグラフ４が分析可能な状態であるか、すなわち液体クロマトグラフ４が分析を行なっている最中でないかを判定する（ステップＳ２３）。液体クロマトグラフ４が分析可能な状態である場合、捕集試料分析動作実行部３４は、サンプリングニードル３８によって捕集容器４２から試料液を吸引し、その試料液を注入ポート４０へ注入する動作を、オートサンプラ１０に実行させる（ステップＳ２４及びＳ２５）。注入ポート４０へ注入された試料は、送液装置８からの移動相が流れる分析流路中へ導入され、液体クロマトグラフによる分析が行われる（ステップＳ２６）。以上のステップＳ２２〜Ｓ２６の動作は、未分析の試料液が捕集されている捕集容器の数だけ繰返し実行される。
【００５４】
また、この実施例のオンラインＨＰＬＣ溶出試験システムでは、溶出試験機２と液体クロマトグラフ４との間で通信を行なって連動することにより、複数試料についての全自動連続溶出試験を実行することができるように構成されている。その前提として、溶出試験機２は、複数の試料を設置しておくことができる。溶出試験機２は、複数種類の試料がセッティングされた場合には、各試料が順次、試験容器に導入され、その試料についての溶出試験が自動的に実行されるように構成されている。
【００５５】
上記の全自動連続溶出試験の動作の一例について、図１とともに図６のフローチャートを用いて説明する。
【００５６】
まず、オペレータが全自動連続溶出試験の準備を行なう（ステップＳ３１）。準備とは、溶出試験機２への試料の設置、各試料についての溶出試験の条件設定などである。準備が完了した後、演算処理装置６を介してオペレータが溶出試験開始の指示を入力すると、溶出試験機２の制御部２０が、液体クロマトグラフ４の分析状態通信部３６から送信される分析状態信号に基づいて液体クロマトグラフ４が分析可能な状態であるか否かを判定し（ステップＳ３２）、液体クロマトグラフ４が分析可能な状態であれば試料の溶出試験を開始する（ステップＳ３３）。
【００５７】
溶出試験が開始された後、オペレータにより設定されたタイミングで溶出試験機２から液体クロマトグラフ４のオートサンプラ１０への試料液の供給がなされ、オートサンプラ１０において試料液のサンプリングが行われる（ステップＳ３４）。液体クロマトグラフ４による分析動作は、図３〜図５で上記した通りである。試料液のサンプリング回数が予め設定された回数に達すると、溶出試験機２は溶出試験を終了し（ステップＳ３５）、試験容器の洗浄を行なう（ステップＳ３６）。液体クロマトグラフ４は、分析状態信号を溶出試験機に送信しているので、分析が終了した場合には、分析中ではなく次の試料を分析可能な状態である旨の分析状態信号を溶出試験機に送信する。
【００５８】
次に溶出試験を行なうべき試料が存在する場合（ステップＳ３７）、液体クロマトグラフ４の分析状態通信部３６から送信される分析状態信号に基づいて液体クロマトグラフ４が分析可能な状態であるかを確認し（ステップＳ３２）、液体クロマトグラフ４が次の新たな試料を分析可能な状態であれば、次の新たな試料を試験容器に導入して溶出試験を開始する（ステップＳ３３）。液体クロマトグラフ４は、次の新たな試料について上記と同様にして分析動作を実行する。このように、溶出試験機２に複数の試料が設置された場合に、すべての試料の溶出試験が完了するまで、上記ステップＳ３２〜Ｓ３６の動作を自動的に実行する。
【符号の説明】
【００５９】
２      試料処理装置
４      液体クロマトグラフ
６      演算処理装置
８      送液装置
１０      オートサンプラ
１２      カラムオーブン
１４      検出器
１６      入口配管
１８      出口配管
２０，２２      制御部
２４，２６      通信用インターフェース
２８      モード選択部
３０      即時分析動作実行部
３２      捕集動作実行部
３４      捕集試料分析動作実行部
３６      分析状態通信部
３８      サンプリングニードル
４０      注入ポート
４２      捕集容器
４４      フローバイアル
４６      フローバイアルラック
４８      フローバイアル本体
５０      キャップ
５２      セプタム
５４      入口部
５６      出口部
【図１】
2019038928.tif 000003
【図２】
2019038928.tif 000004
【図３】
2019038928.tif 000005
【図４】
2019038928.tif 000006
【図５】
2019038928.tif 000007
【図６】
2019038928.tif 000008
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
移動相の流れる分析流路と、
溶出試験機から供給される試料液を前記分析流路中に注入するオートサンプラと、
前記オートサンプラにより前記分析流路中に注入された試料液中の成分を分離するための分析カラムと、
前記分析カラムで分離された試料成分を検出するための検出器と、
少なくとも前記オートサンプラの動作を制御する制御部と、を備え、
前記オートサンプラは、前記溶出試験機と配管を介して接続され、前記溶出試験機から供給される試料液を内部に収容するフローバイアル、前記フローバイアルから試料液を吸引して採取するためのサンプリングニードル、前記サンプリングニードルから前記分析流路へ試料液を注入するための注入ポート、及び前記サンプリングニードルにより前記フローバイアルから採取された試料液を分画して捕集するための捕集容器を有し、
前記制御部は、前記溶出試験機から前記フローバイアルに試料液が供給されたときに、前記サンプリングニードルによって前記フローバイアル内の試料液を吸引して直接的に前記注入ポートへ注入する即時分析動作を前記オートサンプラに実行させるように構成された即時分析動作実行部、前記溶出試験機から前記フローバイアルに試料液が供給されたときに、前記サンプリングニードルによって前記フローバイアル内の試料液を吸引し、前記サンプリングニードルから前記捕集容器へ試料液を吐出する捕集動作を前記オートサンプラに実行させるように構成された捕集動作実行部、及び前記捕集容器に捕集された試料液を前記サンプリングニードルによって吸引して前記注入ポートへ注入する捕集試料分析動作を前記オートサンプラに実行させるように構成された捕集試料分析動作実行部を有する、液体クロマトグラフ。
【請求項２】
オペレータからの入力指示に基づいて即時分析モード、又は捕集分析モードのいずれか一方のモードを選択するように構成されたモード選択部をさらに備え、
前記即時分析動作実行部は、前記モード選択部により前記即時分析モードが選択されたときに前記即時分析動作を前記オートサンプラに実行させるように構成されており、
前記捕集動作実行部及び前記捕集試料分析動作実行部は、前記モード選択部により前記捕集分析モードが選択されたときに、それぞれ前記捕集動作と前記捕集試料分析動作を前記オートサンプラに実行させるように構成されている、請求項１に記載の液体クロマトグラフ。
【請求項３】
溶出試験機と、
前記溶出試験機と配管を介して接続された請求項１又は２に記載の液体クロマトグラフと、を備えた、溶出試験システム。
【請求項４】
前記液体クロマトグラフは、当該液体クロマトグラフが分析動作中であるか否かを判定し、当該液体クロマトグラフが分析動作中か否かに関する分析状態信号を前記溶出試験機へ送信するように構成された分析状態通信部をさらに有し、
前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、請求項４に記載の溶出試験システム。
【請求項５】
試料の溶出試験を行なうための溶出試験機と、
移動相の流れる分析流路、前記溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、少なくとも前記オートサンプラの動作を制御する制御部、及び当該液体クロマトグラフが分析動作中であるか否かを判定し、当該液体クロマトグラフが分析動作中か否かに関する分析状態信号を前記溶出試験機へ送信するように構成された分析状態通信部を有する液体クロマトグラフと、を備え、
前記溶出試験機は、前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、溶出試験システム。
【請求項６】
請求項５に記載の溶出試験システムに用いられる前記液体クロマトグラフであって、
移動相の流れる分析流路、前記溶出試験機から供給される試料液を前記分析流路中に注入するオートサンプラ、前記オートサンプラにより前記分析流路中に注入された試料液中の成分を分離するための分析カラム、前記分析カラムで分離された試料成分を検出するための検出器、少なくとも前記オートサンプラの動作を制御する制御部、及び当該液体クロマトグラフが分析動作中であるか否かを判定し、当該液体クロマトグラフが分析動作中か否かに関する分析状態信号を前記溶出試験機へ送信するように構成された分析状態通信部を備え、前記溶出試験機が前記新たな試料についての溶出試験を開始する際に、前記新な試料についての分析動作を行う、液体クロマトグラフ。
【請求項７】
請求項５に記載の溶出試験システムに用いられる前記溶出試験機であって、
前記分析状態通信部により送信された前記分析状態信号を受信する通信部を有し、複数の試料についての溶出試験を連続的に実行するように設定されている場合において、前記通信部が受信した前記分析状態信号に基づき、前記液体クロマトグラフが分析動作中であるときは新たな試料についての溶出試験を開始せず、前記液体クロマトグラフの分析動作が終了したときに前記新たな試料についての溶出試験を開始するように構成されている、溶出試験機。
【国際調査報告】
2019038928.tif 000009
2019038928.tif 000010
2019038928.tif 000011
2019038928.tif 000012